(57)【要約】【課題】仮名文字を入力する操作は非常に煩雑である。【解決手段】５０音仮名文字の行の行頭文字及び、この行に対応した仮名文字を記憶したＲＯＭ４８と、このＲＯＭに記憶した５０音仮名文字から所望の文字を選択する表示ボタン１１０と、この表示ボタンにて選択した文字を表示する表示部１３０とを有する通話台１０であって、表示ボタン１１０は、ＲＯＭから所望の行頭文字を選択する第１選択ボタン１８１と、ＲＯＭから所望の行にある所望の文字を選択する第２選択ボタン２０１とを有し、第１選択ボタン１８１に行頭文字を一対一で割り当てると共に、第１選択ボタンにて行頭文字が選択されると、この行頭文字の行に対応した文字を第２選択ボタンに一対一で割り当てるＭＰＵ４９を有するようにした。【選択図】  図８
2004228970.tif 000002
【特許請求の範囲】
【請求項１】
各文字グループに対応した複数の文字及び、前記文字グループを識別するグループ識別文字を記憶した記憶手段と、この記憶手段に記憶した複数の文字から所望の文字を選択する選択手段と、この選択手段にて選択した文字に基づいて文字情報を表示する表示手段とを有する通話端末装置であって、
前記選択手段は、
前記記憶手段から所望のグループ識別文字を選択するグループ識別文字選択手段と、
前記記憶手段から所望の文字グループ内にある所望の文字を選択する文字選択手段とを有し、
前記通話端末装置は、
前記グループ識別文字選択手段に前記グループ識別文字を一対一で割り当てると共に、前記グループ識別文字選択手段にて前記グループ識別文字が選択されると、このグループ識別文字の文字グループに対応した文字を前記文字選択手段に一対一で割り当てる文字割当手段を有することを特徴とする通話端末装置。
【請求項２】
前記文字グループは、５０音仮名文字の各行に相当し、前記グループ識別文字は、５０音仮名文字の行を示す頭文字に相当し、前記文字グループに対応した複数の文字は、各行に対応した複数の文字に相当することを特徴とする請求項１記載の通話端末装置。
【発明の詳細な説明】
【０００１】
【発明の属する技術分野】
本発明は、例えば金融取引等のディーリング通話システム等に使用される通話台等の通話端末装置に関する。
【０００２】
【従来の技術】
従来、このようなディーリング通話システム等に使用される通話台としては、ワンタッチのボタン操作でオートダイヤル発信可能な複数の回線ボタンと、この回線ボタン毎に配置され、各回線ボタンを識別する回線相手先の名称、すなわち回線名称を表示する回線名称表示部とを有し、これら回線ボタンに対応する回線名称表示部の回線名称を、例えば仮名文字や英字等で適宜編集可能としているものがある。
【０００３】
このような通話台によれば、回線名称表示部の表示内容を目視しながら、ワンタッチ操作で所望の回線相手先に発信することができる。
【０００４】
このような回線名称表示部の表示内容を編集可能とする通話台としては、図１０及び図１１に示すシステム構成の通話台が知られている。
【０００５】
図１０に示すシステムの通話台５００は、例えば文字入力機能を備えたパソコン端末５０１とＲＳ−２３２ケーブル５０２で通信接続し、このＲＳ−２３２ケーブル５０２を通じてパソコン端末５０１からの文字が転送されることで、この通話台５００の回線名称表示部に回線名称が登録されることになる。
【０００６】
また、図１１に示すシステムの通話台６００は、この通話台６００を収容接続する回線制御装置６０１を通じてパソコン端末６０２と通信接続し、この回線制御装置６０１を通じて、パソコン端末６０２からの文字が転送されることで、この通話台６００の回線名称表示部に回線名称が登録されることになる。
【０００７】
また、このような従来の通話台５００（６００）においては、文字入力機能を備えたパソコン端末５０１（６０２）を通じて文字を編集し、この編集した文字を回線名称として通話台６００の回線名称表示部に登録するようにしたが、パソコン端末５０１（６０２）を別途設けなれば、仮名文字や英字等で構成する回線名称を回線名称表示部に登録することができない。
【０００８】
そこで、このようなパソコン端末５０１（６０２）を別途設けることなく、通話台６００自体に文字入力機能を備えたものも考えられる。
【０００９】
このような文字入力機能を備えた通話端末装置は、ディーリング通話システムの通話台としては知られていないが、例えば携帯電話機では広く知られている（例えば特許文献１）。
【００１０】
特許文献１の電話機は、ダイヤル番号、複数の仮名文字や英字等が刻印されたダイヤルボタンと、このダイヤルボタンを仮名文字入力とする仮名文字モード又は、このダイヤルボタンを英字入力とする英字モードを切替設定するモード選択ボタンと、文字確定ボタンとを有し、個々のダイヤルボタンに５０音仮名文字の行、例えば“１”のダイヤルボタンに“あ”行、すなわち“あいうえお”が割り当てられ、仮名文字モード中に“１”のダイヤルボタンがボタン操作される度に、「あ→い→う→え→お→あ→…」といった順序で“あ”行の文字をディスプレイに個々に表示し、文字確定ボタンにてディスプレイに表示中の文字を確定し、最終的には所望の回線名称等の文字情報を編集登録するようにしたものである。
【００１１】
このような特許文献１の電話機によれば、例えばモード選択ボタンにて仮名文字モードが選択され、所望の仮名文字が刻印されたダイヤルボタンがボタン操作されると、このダイヤルボタンに刻印された仮名文字が順次ディスプレイに表示され、所望の文字がディスプレイに表示されたときに文字確定ボタンがボタン操作されると、この所望の文字を確定し、最終的には所望の回線名称等の文字情報を編集登録することができる。
【００１２】
【特許文献１】
特開昭６４−４１３５６号（図１及び図２参照）
【００１３】
【発明が解決しようとする課題】
しかしながら、上記従来の特許文献１の通話端末装置によれば、例えば“お”を文字選択する場合、“あ”行が刻印されたダイヤルボタンをボタン操作し、この“あ”行のダイヤルボタンを５回操作することで、“あ→い→う→え→お”といった具合に“お”をディスプレイに表示させ、文字確定ボタンがボタン操作されることで、“お”を文字選択するようにしたが、誤ってダイヤルボタンを６回操作してしまうと、“あ→い→う→え→お→あ”といった具合に“あ”がディスプレイに表示されてしまうことから、再度、“お”をディスプレイに表示させるためには、さらなるダイヤルボタンのボタン操作が必要となり、非常に手間がかかる。
【００１４】
本発明は上記点に鑑みてなされたものであり、その目的とするところは、例えば文字入力機能を備えたパソコン端末等を別途設けなくても、簡単な操作で仮名文字を入力することができる通話端末装置を提供することにある。
【００１５】
【課題を解決するための手段】
上記目的を達成するために本発明の通話端末装置は、各文字グループに対応した複数の文字及び、前記文字グループを識別するグループ識別文字を記憶した記憶手段と、この記憶手段に記憶した複数の文字から所望の文字を選択する選択手段と、この選択手段にて選択した文字に基づいて文字情報を表示する表示手段とを有する通話端末装置であって、前記選択手段は、前記記憶手段から所望のグループ識別文字を選択するグループ識別文字選択手段と、前記記憶手段から所望の文字グループ内にある所望の文字を選択する文字選択手段とを有し、前記通話端末装置は、前記グループ識別文字選択手段に前記グループ識別文字を一対一で割り当てると共に、前記グループ識別文字選択手段にて前記グループ識別文字が選択されると、このグループ識別文字の文字グループに対応した文字を前記文字選択手段に一対一で割り当てる文字割当手段を有するようにした。
【００１６】
従って、本発明の通話端末装置によれば、グループ識別文字選択手段にグループ識別文字を一対一で割り当てると共に、このグループ識別文字選択手段にて前記グループ識別文字が選択されると、このグループ識別文字の文字グループに対応した文字を文字選択手段に一対一で割り当てるようにしたので、例えばグループ識別文字を仮名文字５０音の行の頭文字、“あかさたな…”とし、例えば“か行”のグループ識別文字が選択されると、文字選択手段に“か行”の文字“か”、“き”、“く”、“け”、“こ”が一対一に割り当てられることから、例えばパソコン端末等の他の文字入力機能を備えた端末を設けなくても、仮名文字に割り当てられたボタンスペースを最小限に抑制しながら、簡単な操作で仮名文字を入力することができる。
【００１７】
【発明の実施の形態】
以下、図面に基づいて本発明の通話端末装置に関わる実施の形態を示すディーリング通話システムについて説明する。図１は本実施の形態を示すディーリング通話システム内部の概略構成を示すブロック図である。
【００１８】
図１に示すディーリング通話システム１は、複数の通話台１０と、局線回線２１、ホットライン２２や支店回線２３を収容接続する構内交換機３０を有し、構内交換機３０は、通話台１０との通信インタフェースを司る専用内線回路（以下、単にＤＬＩＮと称する）３１と、局線回線２１、ホットライン２２や支店回線２３等との通信インタフェースを司るトランク（以下、単にＴＲＫと称する）３２と、これらＤＬＩＮ３１やＴＲＫ３２間の通話路を形成する通話路スイッチ（以下、単にＳＷと称する）３３と、局データや局プログラム等を記憶する記憶装置（以下、単にＭＭと称する）３４と、この構内交換機３０全体を制御する中央制御装置（以下、単にＣＣと称する）３５とを有している。
【００１９】
図２は本実施の形態に関わる通話台１０内部の概略構成を示すブロック図である。
【００２０】
図２に示す通話台１０は、ＤＬＩＮ３１との通信インタフェースを司る呼制御メッセージ送受信バッファ４１と、様々な情報を表示する画面ディスプレイ４２と、この画面ディスプレイ４２に表示する情報を記憶する画面メモリ４３と、画面ディスプレイ４２を制御する画面コントローラ４４と、様々なコマンド等を入力するボタン操作部４５と、このボタン操作部４５のボタン操作を監視するキースキャンインタフェース４６と、回線名称等のデータを含む局データ、すなわち納入局毎に異なるデータを格納する一時記憶装置（以下、単にＲＡＭと称する）４７と、呼制御プログラムや固定データを記憶する固定記憶装置（以下、単にＲＯＭと称する）４８と、この通話台１０全体を制御する呼制御プロセッサ（以下、単にＭＰＵと称する）４９とを有している。
【００２１】
呼制御メッセージ送受信バッファ４１は、ＩＳＤＮ基本インタフェースの信号用チャネル（以下、単にＤチャネルと称する）を通じて構内交換機３０に収容される回線の状態を示す呼制御メッセージを受信すると共に、Ｄチャネルを通じて構内交換機３０に対して通話台１０の操作内容等を示す呼制御メッセージを送信する機能と、ＩＳＤＮ基本インタフェースの音声又はデータ用チャネル（以下、単にＢチャネルと称する）を通じて音声信号等を送受信する機能とを有している。
【００２２】
画面メモリ４３は、グラフィック文字やキャラクタ文字（キー枠や回線名称）等を表示するための表示情報が記憶されているものとする。
【００２３】
ＲＯＭ４８には、後述する仮名文字、英字、カタカナ文字や漢字等のフォント情報が記憶管理されているものとする。
【００２４】
図３は本実施の形態に関わる通話台１０の盤面を示す説明図である。
【００２５】
図３に示す通話台１０の盤面には、後述するボタン操作部４５と、後述する操作エリア１００と、着信時に着信音を鳴動する着信リンガ部５１と、通話用ハンドセットを接続するモジュラジャック５２とを有している。
【００２６】
操作エリア１００は、回線ボタンや機能ボタン等で構成する表示ボタン１１０と、この表示ボタン１１０毎に回線名称や機能名称等を表示するボタン表示部１２０と、入力内容や相手先電話番号等の様々な情報を表示する表示部１３０とを有している。尚、操作エリア１００は、複数のページ画面をページ切替可能とするページネーション機能を有している。また、ボタン表示部１２０及び表示部１３０は、前述した画面ディスプレイ４２で構成している。
【００２７】
尚、表示ボタン１１０には、回線ボタンや機能ボタン等が登録され、これら回線ボタンに対応したボタン表示部１２０には回線名称が、機能ボタンに対応したボタン表示部１２０には機能名称等が表示され、例えば回線ボタンのワンタッチ操作で、同回線ボタンに対応した回線へのオートダイヤルを実行するものである。
【００２８】
ボタン操作部４５は、保留ボタン（ＨＯＬＤ）４５Ａと、転送ボタン（ＸＦＥＲ）４５Ｂと、解除ボタン（ＣＬＲ）４５Ｃと、通話台１０の電源をＯＮ／ＯＦＦする電源ボタン（ＰＯＷＥＲ）４５Ｄと、複数ページ画面で索引画面を表示選択するメニューボタン（ＭＥＮＵ）４５Ｅと、ページネーション機能でページ画面を前ページ方向に切替える前ページボタン（ＦＷＤ）４５Ｆと、ページ画面を後ページ方向に切替える後ページボタン（ＢＡＣＫ）４５Ｇと、着信／保留専用画面にて着信順／保留順に回線を整理して表示するソートボタン（ＳＯＲＴ）４５Ｈと、機能ボタン画面を表示する機能ボタン（ＦＵＮＣ）４５Ｉと、回線画面の内、ワンタッチ操作で所定ページ画面を表示できるホームボタン（ＨＯＭＥ）４５Ｊとを有している。
【００２９】
また、通話台１０は、通常モードと、例えば回線名称等の文字を入力する文字入力モードとを切替可能に設定するものである。また、文字入力モードは、英字を入力する英字モードと、平仮名文字を入力する平仮名モードと、カタカナを入力するカタカナモードとを有している。尚、文字入力モードは、操作エリア１００内の所望の表示ボタン１１０に対応したボタン表示部１２０に所望の文字で回線名称等を編集登録するモードである。
【００３０】
図４は本実施の形態に関わる通話台１０の通常モード時の操作エリア１００を示す説明図である。
【００３１】
通常モード時の操作エリア１００は、主に通話に使用される機能ボタン等が表示ボタン１１０及びボタン表示部１２０に割り当てられ、このような機能ボタンとしては、ハンズフリー機能を起動させるハンズフリーボタンと、スピーカ機能を起動させるスピーカボタンと、秘話機能を起動させる秘話ボタンと、再ダイヤル機能を起動させる再ダイヤルボタンと、左ハンドセットの受話音量を調整する左受話音量調整ボタンと、着信音量を調整する着信音量調整ボタンと、これら左受話音量調整ボタンの受話音量及び着信音量調整ボタンの着信音量を上げるアップボタン（ＵＰ）と、これら受話音量及び着信音量を下げるダウンボタン（ＤＯＷＮ）と、着信音を停止する着信音停止ボタンと、例えば回線名称の編集登録機能を起動させる登録ボタン等とがある。
【００３２】
さらに通話台１０に対して着信があると、この着信を表示ボタン１１０及びボタン表示部１２０に割り当てることで、このボタン表示部１２０に“着信画面１”等が表示されることになる。さらに、このボタン表示部１２０“着信画面１”に対応した表示ボタン１１０がボタン操作されると、この着信に対応した回線ボタンのページ画面が表示され、さらに、同着信電話番号が表示部１３０に表示されることになる。
【００３３】
また、通話台１０に対して保留があると、この保留を表示ボタン１１０及びボタン表示部１２０に割り当てることで、このボタン表示部１２０に“保留画面”が表示されることになる。さらに、このボタン表示部１２０“保留画面”に対応した表示ボタン１１０がボタン操作されると、この保留に対応した回線ボタンのページ画面が表示され、さらに、同保留中の電話番号が表示部１３０に表示されることになる。
【００３４】
同様に通話台１０に通話中があると、この通話を表示ボタン１１０及びボタン表示部１２０に割り当てることで、このボタン表示部１２０に“話中画面”が表示されることになる。さらに、このボタン表示部１２０“話中画面”に対応した表示ボタン１１０がボタン操作されると、この通話中に対応した回線ボタンのページ画面が表示され、さらに、同通話中の電話番号が表示部１３０に表示されることになる。
【００３５】
図５は本実施の形態に関わる通話台１０の英字モード時の操作エリア１００を示す説明図である。
【００３６】
英字モード時の操作エリア１００は、主に文字入力に使用される機能ボタン等が表示ボタン１１０及びボタン表示部１２０に割り当てられ、このような機能ボタンとしては、複数の英字に対応した英字ボタン１５１と、大文字／小文字を切替選択する大／小ボタン１５２と、ボタン表示部１２０の色彩を設定変更する色彩ボタン（ＣＯＬＯＲ）１５３と、バックスペースボタン（ＢＡＣＫ  ＳＰＡＣＥ）１５４と、削除ボタン（ＤＥＬＥＴＥ）１５５と、表示部１３０に表示する入力カーソルを左方向に移動させる左カーソルボタン（←）１５６と、入力カーソルを右方向に移動させる右カーソルボタン（→）１５７と、空白ボタン（ＳＰＡＣＥ）１５８と、入力終了ボタン１５９と、プレビュボタン（ＰＲＥＶＩＥＷ）１６０と、全角又は半角を表示する全角／半角ボタン１６１と、取消しボタン１６２と、文字入力モードを切り替える入力モードボタン１６３とを有している。
【００３７】
尚、入力モードボタン１６３は、ボタン操作される度に「平仮名モード→カタカナモード→英字モード→平仮名モード→…」の順で文字入力モードが切替えられるものである。
【００３８】
例えば“Ｌ”を文字入力する場合、“ＪＫＬ”に対応した英字ボタン１５１を３回ボタン操作することで、Ｊ→Ｋ→Ｌの順に“Ｌ”が表示部１３０に表示され、さらに右カーソルボタン１５７又は他の英字ボタン１５１がボタン操作されることで、“Ｌ”が確定表示されることになる。
【００３９】
続いて“Ｏ”を文字入力する場合、“ＭＮＯ”に対応した英字ボタン１５１を３回ボタン操作することで、Ｍ→Ｎ→Ｏの順に“Ｏ”が表示部１３０に表示され、さらに右カーソルボタン１５７又は他の英字ボタン１５１がボタン操作されることで、“Ｏ”が確定表示されることになる。最終的に入力終了ボタン１５９がボタン操作されることで、所望の英字に基づく回線名称や機能名称等を所望の表示ボタン１１０に対応したボタン表示部１２０に登録されることになる。
【００４０】
図６は平仮名モード時の操作エリア１００を示す説明図である。
【００４１】
平仮名モード時の操作エリア１００は、５０音平仮名文字の入力に使用される機能ボタン等が表示ボタン１１０及びボタン表示部１２０に割り当てられ、このような機能ボタンとしては、５０音平仮名文字の行、例えば“あ行”“か行”“さ行…”等の各行に対応した第１選択ボタン１８１と、ボタン表示部１２０の色彩を設定変更する色彩ボタン（ＣＯＬＯＲ）１５３と、バックスペースボタン（ＢＡＣＫ  ＳＰＡＣＥ）１５４と、削除ボタン（ＤＥＬＥＴＥ）１５５と、左カーソルボタン１５６と、右カーソルボタン１５７と、空白ボタン（ＳＰＡＣＥ）１５８と、入力終了ボタン１５９と、プレビュボタン（ＰＲＥＶＩＥＷ）１６０と、取消しボタン１６２と、入力モードボタン１６３と、平仮名をカタカナに変換するカタカナボタン１８２と、漢字変換ボタン１８３と、漢字変換ボタン１８３による変換内容を確定する確定ボタン１８４とを有している。
【００４２】
尚、入力モードボタン１６３は、ボタン操作される度に「カタカナモード→英字モード→平仮名モード→カタカナモード→…」の順で文字入力モードが切替えられるものである。
【００４３】
さらに平仮名モード時の操作エリア１００には、第１選択ボタン１８１のボタン操作に応じて、この第１選択ボタン１８１に対応した行の平仮名文字が表示ボタン１１０及びボタン表示部１２０に割り当てられることで構成する第２選択ボタン２０１と、漢字変換ボタン１８３による漢字変換候補を表示ボタン１１０及びボタン表示部１２０に割り当てられることで構成する変換候補決定ボタン２０２とを有している。
【００４４】
第２選択ボタン２０１は、例えば“あ行”の第１選択ボタン１８１がボタン操作されると、“あ行”の“あ”、“い”、“う”、“え”、“お”が表示ボタン１１０及びボタン表示部１２０に夫々割り当てられることで構成し、同様に、例えば“た行”の第１選択ボタン１８１がボタン操作されると、図８に示すように“た行”の“た”、“ち”、“つ”、“て”、“と”が表示ボタン１１０及びボタン表示部１２０に夫々割り当てられることで構成するものである。
【００４５】
図７はカタカナモード時の操作エリア１００を示す説明図である。
【００４６】
カタカナモード時の操作エリア１００は、５０音カタカナ文字の入力に使用される機能ボタン等が表示ボタン１１０及びボタン表示部１２０に割り当てられ、このような機能ボタンとしては、５０音カタカナ文字の行、例えば“ア行”“カ行…”等の各行に対応した第１選択ボタン１８１Ａと、第１選択ボタン１８１Ａのボタン操作に応じて、この第１選択ボタン１８１Ａに対応した行のカタカナ文字が表示ボタン１１０及びボタン表示部１２０に割り当てられることで構成する第２選択ボタン２０１Ａと、ボタン表示部１２０の色彩を設定変更する色彩ボタン（ＣＯＬＯＲ）１５３と、バックスペースボタン（ＢＡＣＫ  ＳＰＡＣＥ）１５４と、削除ボタン（ＤＥＬＥＴＥ）１５５と、左カーソルボタン１５６と、右カーソルボタン１５７と、空白ボタン（ＳＰＡＣＥ）１５８と、入力終了ボタン１５９と、プレビュボタン（ＰＲＥＶＩＥＷ）１６０と、取消しボタン１６２と、入力モードボタン１６３とを有している。
【００４７】
尚、入力モードボタン１６３は、ボタン操作される度に「英字モード→平仮名モード→カタカナモード→英字モード→…」の順で文字入力モードが切替えられるものである。
【００４８】
第２選択ボタン２０１Ａは、例えば“カ行”の第１選択ボタン１８１Ａがボタン操作されると、“カ行”の“カ”“キ”“ク”“ケ”“コ”が表示ボタン１１０及びボタン表示部１２０に夫々割り当てられることで構成するものである。
【００４９】
尚、ＭＰＵ４９は、操作エリア１００のページ画面内の表示ボタン１１０及びボタン表示部１２０をボタン番号で管理し、このボタン番号で各ページ画面の表示ボタン１１０に関わる機能内容及びボタン表示部１２０の表示内容を認識しているものとする。
【００５０】
尚、本願請求項の文字グループは５０音仮名文字の行、例えば“あ行”等に相当し、文字グループに対応した複数の文字は行に対応した文字、例えば“あ行”の場合には“あいうえお”に相当し、グループ識別文字は行頭文字、例えば“あ行”の場合には“あ”に相当するものである。さらに、通話端末装置は通話台１０、記憶手段はＲＯＭ４８、選択手段は操作エリア１００内の表示ボタン１１０及びボタン表示部１２０、表示手段には表示部１３０、グループ識別文字選択手段は第１選択ボタン１８１、文字選択手段は第２選択ボタン２０１、文字割当手段はＭＰＵ４９に相当するものである。
【００５１】
では、次に本実施の形態に関わる通話台１０の動作について説明する。
【００５２】
本願発明の特徴とするところは、文字入力モードの平仮名モード時やカタカナモード時に平仮名文字やカタカナ文字を簡単に入力できるようにした点を主眼としている。
【００５３】
そこで、このような平仮名モード時の平仮名文字入力に使用される仮名文字入力処理を例にあげ、その動作について以下に説明する。図８は平仮名モード時の操作エリア１００の動作状態を示す説明図である。
【００５４】
例えば“て”を文字入力する場合、ユーザは、図６に示す操作エリア１００の“た行”に対応する第１選択ボタン１８１をボタン操作する。
【００５５】
通話台１０のＭＰＵ４９は、“た行”に対応する第１選択ボタン１８１のボタン操作を検出すると、“た行”の“た”、“ち”、“つ”、“て”、“と”を第２選択ボタン２０１の表示ボタン１１０及びボタン表示部１２０に割り当てることで、図８に示すように第２選択ボタン２０１のボタン表示部１２０に“た行”の“た”、“ち”、“つ”、“て”、“と”を表示することになる。
【００５６】
さらに、ユーザは、“て”に対応する第２選択ボタン２０１をボタン操作する。通話台１０のＭＰＵ４９は、“て”に対応する第２選択ボタン２０１のボタン操作を検出すると、この“て”を表示部１３０に確定表示することになる。
【００５７】
では、このような仮名文字入力処理に関わるＭＰＵ４９の処理動作について説明する。図９は通話台１０の仮名文字入力処理に関わるＭＰＵ４９の処理動作を示すフローチャートである。
【００５８】
図９においてＭＰＵ４９は、キースキャンインタフェース４６を通じて通話台１０のボタン操作を検出したか否かを判定する（ステップＳ１１）。
【００５９】
ＭＰＵ４９は、ボタン操作を検出したのであれば、第１選択ボタン１８１のボタン操作を検出したか否かを判定する（ステップＳ１２）。
【００６０】
ＭＰＵ４９は、第１選択ボタン１８１のボタン操作を検出したのであれば、このボタン操作に関わるボタン番号をＲＡＭ４７から検出し（ステップＳ１３）、現在の文字入力モードが平仮名モード又はカタカナモードであるか否かを判定する（ステップＳ１４）。
【００６１】
ＭＰＵ４９は、このボタン操作に関わるボタン番号に対応した行頭文字を検出すると（ステップＳ１５）、この行頭文字に対応した行文字をＲＯＭ４８から読み出す（ステップＳ１６）。尚、この行に対応した行文字とは、例えば“た”行の場合、“たちつてと”の仮名文字に相当するものである。
【００６２】
ＭＰＵ４９は、この行頭文字に対応した各行文字を第２選択ボタン２０１の表示ボタン１１０及びボタン表示部１２０に割り当て（ステップＳ１７）、例えば図８に示すように第２選択ボタン２０１のボタン表示部１２０に“た”、“ち”、“つ”、“て”、“と”が表示され、この処理動作を終了する。
【００６３】
また、ＭＰＵ４９は、ステップＳ１１にて通話台１０のボタン操作を検出したのでなければ、この処理動作を終了する。
【００６４】
ＭＰＵ４９は、ステップＳ１２にて第１選択ボタン１８１のボタン操作を検出したのでなければ、第２選択ボタン２０１のボタン操作を検出したか否かを判定する（ステップＳ１８）。
【００６５】
ＭＰＵ４９は、第２選択ボタン２０１のボタン操作を検出したのであれば、この第２選択ボタン２０１に対応したボタン番号を検出し（ステップＳ１９）、このボタン番号に対応した文字があるか否かを判定する（ステップＳ２０）。
【００６６】
ＭＰＵ４９は、ステップＳ２０にてボタン番号に対応した文字があると判定されると、この文字を入力確定し（ステップＳ２１）、この文字を表示部１３０に表示することで（ステップＳ２２）、この処理動作を終了する。
【００６７】
ＭＰＵ４９は、ステップＳ１８にて第２選択ボタン２０１のボタン操作を検出したのでなければ、他のボタン動作に関わる処理動作を実行することで（ステップＳ２３）、この処理動作を終了する。
【００６８】
ＭＰＵ４９は、ステップＳ１４にて文字入力モードが平仮名モード又はカタカナモードでなければ、例えば英字モードであると判断し、英字入力処理に移行することで（ステップＳ２４）、この処理動作を終了する。
【００６９】
このように仮名文字入力処理にて第１選択ボタン１８１及び第２選択ボタン２０１を使用することで表示部１３０に所望の文字を順次確定表示することになる。そして、この表示部１３０に表示中の文字を漢字に変換する場合、操作エリア１００の変換ボタン１８３をボタン操作することで、同文字の漢字変換候補が変換候補決定ボタン２０２の表示ボタン１１０及びボタン表示部１２０に順次割り当てられ、所望の漢字変換候補に対応した変換候補決定ボタン２０２がボタン操作されると、この漢字変換候補を文字情報として登録することになる。
【００７０】
本実施の形態によれば、第１選択ボタン１８１に５０音仮名文字の行頭文字を一対一で割り当てると共に、この第１選択ボタン１８１にて行頭文字が選択されると、この行頭文字の行に対応した文字を第２選択ボタン２０１に一対一で割り当てるようにしたので、例えば“か行”の行頭文字が選択されると、第２選択ボタン２０１に“か行”の文字“か”、“き”、“く”、“け”、“こ”が一対一に割り当てられることから、例えばパソコン端末等の他の文字入力機能を備えた端末を設けなくても、仮名文字に割り当てられた操作エリア１００上のボタンスペースを最小限に抑制しながら、簡単な操作で仮名文字を入力することができる。
【００７１】
尚、上記実施の形態においては、濁音符や半濁音符等を除く、５０音仮名文字の入力動作について説明したが、濁音符や半濁音符等については、次のような表示方法で第２選択ボタン２０１の表示ボタン１１０及びボタン表示部１２０に割り当てるようにしてもよい。
【００７２】
濁音符（半濁音符）を使用する場合、第１選択ボタン１８１を１回ボタン操作されると、この第１選択ボタン１８１の通常の行に対応した文字が第２選択ボタン２０１の表示ボタン１１０及びボタン表示部１２０に割り当てられ、第１選択ボタン１８１が２回ボタン操作されると、この第１選択ボタン１８１の行に対応した濁音文字（半濁音文字）が第２選択ボタン２０１に割り当てられることになる。例えば“た行”の第１選択ボタン１８１が２回ボタン操作されると、第２選択ボタン２０１の表示ボタン１１０及びボタン表示部１２０には、この“た行”の濁音文字に相当する“だ”、“ぢ”、“づ”、“で”、“ど”が割り当てられることになる。
【００７３】
また、同様に第１選択ボタン１８１が３回ボタン操作されると、この第１選択ボタン１８１の行に対応した直音に使用する小文字が第２選択ボタン２０１に割り当てられることになる。
【００７４】
このような方法で濁音符や半濁音符等を含む仮名文字についても、仮名文字に割り当てられた操作エリア１００上のボタンスペースを最小限に抑制しながら、簡単な操作で仮名文字を入力することができる。
【００７５】
【発明の効果】
上記のように構成された本発明の通話端末装置によれば、グループ識別文字選択手段にグループ識別文字を一対一で割り当てると共に、このグループ識別文字選択手段にて前記グループ識別文字が選択されると、このグループ識別文字の文字グループに対応した文字を文字選択手段に一対一で割り当てるようにしたので、例えばグループ識別文字を仮名文字５０音の行の頭文字、“あかさたな…”とし、例えば“か行”のグループ識別文字が選択されると、文字選択手段に“か行”の文字“か”、“き”、“く”、“け”、“こ”が一対一に割り当てられることから、例えばパソコン端末等の他の文字入力機能を備えた端末を設けなくても、仮名文字に割り当てられたボタンスペースを最小限に抑制しながら、簡単な操作で仮名文字を入力することができる。
【図面の簡単な説明】
【図１】本発明の通話端末装置に関わる実施の形態を示すディーリング通話システム内部の概略構成を示すブロック図である。
【図２】本実施の形態を示すディーリング通話システムに関わる通話台内部の概略構成を示すブロック図である。
【図３】本実施の形態に関わる通話台の盤面を示す説明図である。
【図４】本実施の形態に関わる通話台の通常モード時の操作エリアを示す説明図である。
【図５】本実施の形態に関わる通話台の英字モード時の操作エリアを示す説明図である。
【図６】本実施の形態に関わる通話台の平仮名モード時の操作エリアを示す説明図である。
【図７】本実施の形態に関わる通話台のカタカナモード時の操作エリアを示す説明図である。
【図８】本実施の形態に関わる通話台の平仮名モード時の仮名文字入力処理に関わる操作エリアを示す説明図である。
【図９】本実施の形態に関わる通話台の仮名文字入力処理に関わるＭＰＵの処理動作を示すフローチャートである。
【図１０】従来のディーリング通話システムにおいて通話台に仮名文字を登録する方法を示す説明図である。
【図１１】従来のディーリング通話システムにおいて通話台に仮名文字を登録する方法を示す説明図である。
【符号の説明】
１０    通話台（通話端末装置）
４８    ＲＯＭ（記憶手段）
４９    ＭＰＵ（文字割当手段）
１１０  表示ボタン（選択手段）
１２０  ボタン表示部（選択手段）
１３０  表示部（表示手段）
１８１  第１選択ボタン（グループ識別文字選択手段）
２０１  第２選択ボタン（文字選択手段）
【図１】
2004228970.tif 000003
【図２】
2004228970.tif 000004
【図３】
2004228970.tif 000005
【図４】
2004228970.tif 000006
【図５】
2004228970.tif 000007
【図６】
2004228970.tif 000008
【図７】
2004228970.tif 000009
【図８】
2004228970.tif 000010
【図９】
2004228970.tif 000011
【図１０】
2004228970.tif 000012
【図１１】
2004228970.tif 000013